(57)【特許請求の範囲】
【請求項１】
画像の色調整を行うための画面であって、調整される各色相と対応して設定される属性値を示す色調整画面を作成する色調整画面作成部と、
表示された画像の所定の領域を、操作に応じて指定する画像領域指定部と、
前記指定された領域をエリアに分けて、各エリアの色相を特定し、所定数以上のエリアで特定された色相を、前記指定された領域の色相と判定する色相判定部と、を備え、
前記色調整画面作成部は、前記調整される各色相の中で前記判定された色相が区別されて表示されるように前記色調整画面を作成し、
前記色調整画面作成部は、前記判定された色相が複数ある場合に、対応するエリア数の大小に応じて前記判定された色相のうちの第１の色相が、前記判定された色相のうちの第２の色相と区別して表示されるように前記色調整画面を作成する
ことを特徴とする色調整装置。
【請求項２】
前記画像領域指定部は、所定の操作に応じて、表示された画像全体を前記所定の領域として指定する
ことを特徴とする請求項１に記載の色調整装置。
【請求項３】
前記色調整画面作成部は、前記色相の属性値として彩度を調整する画面を作成する
ことを特徴とする請求項１に記載の色調整装置。
【請求項４】
前記色調整画面作成部は、前記色調整画面として、前記色相を角度方向に対応させ、各色相の彩度を径方向の距離に対応させた２次元座標により、指定した色相の彩度を設定する画面を作成する
ことを特徴とする請求項３に記載の色調整装置。
【請求項５】
表示された前記色調整画面で、操作部材の操作に応じて前記調整される色相を選択する制御部を備え、
前記制御部は、色相の選択操作時に前記色調整画面上に表示されている関連色以外の色は飛び越して、前記操作部材の操作により前記判定された色相だけが選択されるよう制御
する
ことを特徴とする請求項１に記載の色調整装置。
【請求項６】
画像の色調整を行うための画面であって、調整される各色相と対応して設定される属性値を示す色調整画面を作成する色調整画面の作成方法であって、
表示された画像の所定の領域を、操作に応じて指定し、
前記指定された領域をエリアに分けて、各エリアの色相を特定し、所定数以上のエリアで特定された色相を、前記指定された領域の色相と判定し、
前記各色相の中で前記判定された色相が区別されて表示されるように前記色調整画面を作成する
ことを含み、
前記判定された色相が複数ある場合、前記色調整画面を作成することは、対応するエリア数の大小に応じて前記判定された色相のうちの第１の色相が、前記判定された色相のうちの第２の色相と区別して表示されるように前記色調整画面を作成することを特徴とする色調整画面の作成方法。
【請求項７】
画像の色調整を行うための画面であって、調整される各色相と対応して設定される属性値を示す色調整画面を作成する方法をコンピュータに実行させるためのプログラムにおいて、
表示された画像の所定の領域を、操作に応じて指定するステップと、
前記指定された領域をエリアに分けて、各エリアの色相を特定し、所定数以上のエリアで特定された色相を、前記指定された領域の色相と判定するステップと、
前記各色相の中で前記判定された色相が区別されて表示されるように前記色調整画面を作成するステップとを、含み、
前記判定された色相が複数ある場合、前記色調整画面を作成することは、対応するエリア数の大小に応じて前記判定された色相のうちの第１の色相が、前記判定された色相のうちの第２の色相と区別して表示されるように前記色調整画面を作成することを特徴とするプログラム。
【発明の詳細な説明】
【技術分野】
【０００１】
本発明は、色調整装置、特に色調整する色を指定する技術に関する。
【背景技術】
【０００２】
画像の色の調子を好みの状態に調整する色調整処理に対するニーズが高まっている。そして、色調整をスムースに行うためのユーザーインターフェースも提案されている。例えば、特許文献１では、調整色データと目標データを２次元平面に重ねて表示する色調整装置が提案されている。また、特許文献２では、調整される色に対応するエリアをカラーで表示し、調整対象ではない色に対応するエリアをモノクロで表示して、調整されるエリアを明確に示す画像表示装置も提案されている。
【先行技術文献】
【特許文献】
【０００３】
【特許文献１】特開２０１０−１９３３８５号公報
【特許文献２】特開２００６−４８４５０号公報
【発明の概要】
【発明が解決しようとする課題】
【０００４】
色調整装置では、画面上で調整色を指定することが必要である。しかし、輝度の低い被写体あるいは複数色が重なったような被写体では、対応する色を正確に選択するのは簡単ではない。特に初心者では、調整色が探せなくて困ることも多い。
本願発明は、上記課題に鑑み、被写体の色を簡単に選択することができる色調整装置を提供することを目的とする。
【課題を解決するための手段】
【０００５】
上記目的を達成するために、画像の色調整を行うための画面であって、調整される各色相と対応して設定される属性値を示す色調整画面を作成する色調整画面作成部と、表示された画像の所定の領域を、操作に応じて指定する画像領域指定部と、前記指定された領域に対応する色相を判定する色相判定部と、を備え、前記色調整画面作成部は、前記調整される各色相の中で前記判定された色相が識別されるよう前記色調整画面を作成する。
【発明の効果】
【０００６】
本発明によれば、色の印象を調整するために被写体の色を簡単に選択することができる色調整装置を提供することができる。
【図面の簡単な説明】
【０００７】
【図１】本実施形態にかかる撮像装置を背面から見た外観図である。
【図２】撮像装置のハードウェアブロック図である。
【図３】撮像装置の色調整処理に関する機能ブロック図である。
【図４】色調整画面の表示例である。
【図５】図４の色調整画面を拡大した図である。
【図６】色調整処理の手順を説明するフローチャートである。
【図７】色相判定処理の手順を説明するサブルーチンである。
【図８】撮影者により領域指定がされる様子を示す図である。
【図９】指定領域が、所定数のエリアに分割された様子を示す図である。
【図１０Ａ】ＨＳＶ色空間のＨＳ平面の例であって、色相（Ｈ）範囲を示す図である。
【図１０Ｂ】図１０Ａで示す各色相のＨ範囲の表である。
【図１１Ａ】図９で示した各分割エリアのＨ値と色相を表にしたものである。
【図１１Ｂ】色相ごとに判定された分割エリア数の表である。
【図１２】関連色が区別して表示された色調整画面の例である。
【図１３】色調整処理によるライブビュー画像の色調変化を、模式的に示す図である。
【発明を実施するための形態】
【０００８】
以下、図面に従って本発明の実施形態を説明する。図１は、本実施形態にかかる色調整装置が搭載された撮像装置１を背面から見た外観図である。
【０００９】
撮像装置１の上面には、フロントダイヤル１２、シャッターボタン１４、リアダイヤル１６、電源ボタン１８が設けられる。フロントダイヤル１２とリアダイヤル１６は、各種撮影パラメータの設定等に用いられるダイヤル式の操作部材である。フロントダイヤル１２とリアダイヤル１６は、特に、後述する画像の色調整を行う色調整画面で、色相の選択や彩度の設定を行う操作部材となる。
【００１０】
シャッターボタン１４は、撮影指示を入力するボタンである。例えば、シャッターボタン１４は、1段目でＡＦ、ＡＥ等の処理を、２段目で撮影を開始する２段式である。電源ボタン１８は、撮像装置１の電源のオンオフを指示するボタンである。
【００１１】
撮像装置１の背面には、ＰＩＣＴボタン２０、モードボタン２２、ＩＮＦＯボタン２４、ＸＹ方向ボタン２６、ＯＫボタン２８、メニューボタン３０、再生ボタン３２が設けられる。
【００１２】
ＰＩＣＴボタン２０は、後述する色調整画面を呼び出すボタンである。モードボタン２２は、撮像装置１の動作モードとして、撮影モード、再生モード及び外部入力モードを切換えるボタンである。ＩＮＦＯボタン２４は、情報表示画面を呼び出すボタンである。
【００１３】
ＸＹ方向ボタン２６は、４つのボタンから構成され、背面表示部４２やＥＶＦ４６の画面上でカーソルを上下左右に移動させるボタンである。ＯＫボタン２８は、条件変更等を許可するボタンである。メニューボタン３０は、メニュー画面を呼び出すボタンである。再生ボタン３２は、撮影モードと再生モードの切換えを指示するボタンである。
【００１４】
撮像装置１の背面の主要な範囲を占めるように、背面表示部４２が設けられる。背面表示部４２は、撮影画像や再生画像あるいは撮像装置１の条件設定用のメニュー画面等を表示する。背面表示部４２は、ＬＣＤあるいは有機ＥＬ等で構成される。背面表示部４２には、一体的にタッチパネル４４が設けられる。
【００１５】
撮像装置１背面の左寄り上部には、ＥＶＦ（Electronic View Finder）４６が設けられる。ＥＶＦ４６は、覗き込み型の画像表示部で、内部に小型のＬＣＤあるいは有機ＥＬが設けられる。また、ＥＶＦ４６の右枠にはアイセンサ４６ａが設けられる。アイセンサ４６ａは、撮影者によりＥＶＦ４６が覗かれているかを検知する光センサである。背面表示部４２とＥＶＦ４６をまとめて画像表示部４０とも呼ぶ。また、フロントダイヤル１２〜再生ボタン３２及びタッチパネル４４を、以下で、まとめて操作部１０とも呼ぶ。
【００１６】
図２は、撮像装置１のハードウェアブロック図である。撮像装置１は、ＣＰＵ１００、保存用メモリ２１０、一時記憶メモリ２２０、撮像部２３０、画像生成部２４０、表示制御部２５０及び画像メモリ２６０を有する。
【００１７】
ＣＰＵ１００は、保存用メモリ２１０から制御プログラムを読込み、プログラムに従って各種処理を実行して、バス２９０を介して撮像装置１を統括的に制御する。保存用メモリ２１０は、制御プログラムや各種テーブルやデータを、不揮発的に記憶する。保存用メモリ２１０は、例えば、フラッシュメモリやハードディスクドライブである。
【００１８】
一時記憶メモリ２２０は、保存用メモリ２１０から読み出された制御プログラムや撮影された画像データを一時的記憶するワークエリアである。一時記憶メモリ２２０は、例えば、ＳＤＲＡＭ（Synchronous Dynamic Random Access Memory）である。
【００１９】
撮像部２３０は、被写体像を光電変換し、画像データを出力する。撮像部２３０は、レンズ部、絞り部、レンズや絞りを駆動する駆動部、光電変換を行う撮像素子、光電変換された画像信号のゲイン等を調整する信号処理部、画像信号をデジタル化して画像データに変換するＡＤ変換部等を有する。
【００２０】
画像生成部２４０は、撮像部２３０から出力された画像データに、補間処理、色変換処理、符号化・復号化処理等の各種画像処理を行う。また、画像生成部２４０は、ライブビュー画像あるいは再生画像での色調整画面で、撮影者により調整指示がされた場合には、ライブビュー画像あるいは再生画像に対し、選択された色相を設定された彩度に調整する処理を行う。
【００２１】
表示制御部２５０は、画像生成部２４０で画像処理されたライブビュー画像や再生画像を画像表示部４０（背面表示部４２やＥＶＦ４６）に表示する。また、後述するように、表示制御部２５０は、色調整画面をライブビュー画像や再生画像に重ねて表示する。
【００２２】
画像メモリ２６０は、画像生成部２４０で符号化された撮影画像の画像データを記憶する。画像メモリ２６０は、例えば、フラッシュメモリで、かつ撮像装置１に着脱可能なメモリカードで構成されてもよい。画像メモリ２６０は、不図示のメモリＩＦにより、画像データの読出し書込みが行われる。
【００２３】
さらに、撮像装置１は、色相判定部２７０及び外部機器ＩＦ２８０を有する。色相判定部２７０は、色調整画面で画像が指定された場合に、指定された画像の領域に対応する色相を判定するものである。具体的には、色相判定部２７０は、指定された画像の領域を複数のエリアに分けて、各エリアの色相を特定し、所定数以上のエリアで特定された色相を、指定された領域の色相と判定する。色相判定部２７０の詳細は、後述する。
【００２４】
外部機器ＩＦ２８０は、撮像装置１と外部機器間でのデータの通信を制御する。外部機器ＩＦ２８０は、例えばＵＳＢやＬＡＮ経由で、外部機器とデータの送受信を行う。外部機器ＩＦ２８０は、外部機器として接続される顕微鏡や内視鏡等の撮像機器から、画像データを取り込む。
【００２５】
図３は、撮像装置１の色調整処理に関する機能ブロック図である。制御部１１０、画像領域指定部１２０及び色調整画面作成部１３０は、制御プログラムを読込んだＣＰＵ１００により実現される機能部である。
【００２６】
制御部１１０は、画像調整処理に関する機能部全体を制御する。画像領域指定部１２０は、操作部１０（例えば、タッチパネル４４）からの指示に応じて、表示された画像の所定の領域を指定する。色調整画面作成部１３０は、画像の色調整を行うための画面であって、各色相の属性値を調整するための色調整画面を作成する。色相の属性値には、彩度や明度があるが、以下では、指定された色相の彩度を調整する例を説明する。タッチパネルはタッチの面積を判定したり、タッチ領域の重心のように代表的な座標を判定したりするが、それぞれの仕様に対応して、様々な領域判定を行えば良い。タッチされたポイントの周辺領域を加味したり、タッチされた領域そのものを利用したりしてもよく、ユーザが確認可能なように対象領域を枠で表示しても良い。ここで指定領域から色相を判定するように書いたが、色相を考慮して指定領域を決めても良い。タッチ位置を中心に周りの像の色やコントラストや明るさの変化点を判定すればこれを実現することが出来る。
【００２７】
図４は、色調整画面の表示例である。背面表示部４２に表示されたライブビュー画像ＬＶの右下に、色調整画面４００が表示される。色調整画面４００は、色相を角度方向に対応させ、各色相の彩度を径方向の距離に対応させた２次元座標により、各色相の彩度を示すよう構成される。また、図４の被写体は花で、花びらｆの色相はＯｒ（橙）が主体で、花弁ｇの色相はＹ（黄色）が主体で、葉ｈの色相はＧＹ（黄緑）が主体であるとする。なお、ボタンｔは、ライブビュー画像ＬＶ全体を指定領域に設定するためのボタンである。
【００２８】
図５は、図４の色調整画面４００を拡大した図である。１２に分けられた色相が、周状に等角度間隔で、離散的に配列される。なお、色相数は任意であって、１２以上でも以下でも良い。図５は、１２の色相が、時計の０時、１時・・・１２時に相当する位置に、配置された例を示す。
【００２９】
０時の位置にＹ（黄色）、１時の位置にＯｒ（橙）、２時の位置にＲ（赤）、３時の位置にＲＰ（赤紫）、４時の位置にＰ（紫）、５時の位置にＰＢ（青紫）、６時の位置にＢ（青）、７時の位置にＣｂ（緑青）、８時の位置にＣ（シアン）、９時の位置にＧＣ（青緑）、１０時の位置にＧ（緑）、１１時の位置にＧＹ（黄緑）が配置される。また、色相名（Ｙ、Ｏｒ等）は枠で囲まれ、枠内は、色相に対応する色で描画される。
このような色相環は多く知られているが、もちろん、色相に限る必要はなく、ＲＧＢのような原色に単純化して考えてもよい。複数の色を対比して、どれかが選ばれるようにしておけば、本発明の特徴を実現することが可能である。
【００３０】
中心Ｏより外周に向かって、放射状に伸びる線分４１２は、設定される彩度の強弱（濃さ）を示す軸である。線分４１２上のマーク４１４は、彩度の設定値を示す。マーク４１４が中心Ｏに近い程彩度が薄く設定され、外周に向かう程彩度が濃く設定される。また、破線で示す中立ライン４１６は、各色相における彩度の標準位置を示す。彩度が変更されていない場合には、各マーク４１４は、中立ライン４１６の位置に表示される。
【００３１】
色相はフロントダイヤル１２の回転操作に合わせて選択される。例えば、フロントダイヤル１２の右回転操作に応じて、選択される色相が、Ｙ→Ｏｒ→Ｒの順に切換る。
【００３２】
さらに、色相を選択する場合に、フロントダイヤル１２の操作で全色相の中から１つの色相を選択するだけでなく、指定された画像の色相（以下で、関連色と呼ぶ）を色調整画面４００に表示させてから、フロントダイヤル１２の操作で１つの色相を選択することも可能である。
【００３３】
いずれかで、色相が選択された後、リアダイヤル１６の操作により、選択された色相の彩度が変更される。また、全色相の彩度を一括して変更することもできる。色調整画面４００によれば、色相間の彩度バランスを一目で確認できる。
【００３４】
そして、色調整画面作成部１３０は、各色相の中でフロントダイヤル１２の操作で選択された色相が識別されるよう色調整画面４００を作成する。また、色調整画面作成部１３０は、画像が指定された場合には、指定された画像の関連色を区別して示す色調整画面４００を作成する。さらに、色調整画面作成部１３０は、関連色が複数ある場合に、関連度合いの強弱に応じて関連色の色相を区別するような色調整画面４００を作成してもよい。関連色の表示に関しては、図１２で詳述する。
【００３５】
そして、色調整画面作成部１３０は、リアダイヤル１６の操作により彩度が変更された場合には、変更された彩度に対応する色調整画面４００を作成する。なお、図４の色調整画面４００の下の「→」と「Ｖｉｖｉｄ」の表示は、リアダイヤル１６の反時計方向への操作により、彩度が増加することを示している。
【００３６】
図３に示す色調整処理の機能ブロックの内容を、簡単に説明する。撮像部２３０、画像メモリ２６０または外部機器３００から画像データが、画像生成部２４０に入力される。
【００３７】
画像生成部２４０は、画像データに所定の画像処理を施して、表示制御部２５０に出力する。表示制御部２５０は、画像データに色調整画面４００を重畳した画像を作成して、背面表示部４２またはＥＶＦ４６のいずれか画像表示部４０に表示する。
【００３８】
制御部１１０は、操作部１０により指定された画像の位置を画像領域指定部１２０に通知する。画像領域指定部１２０は、指定された位置を中心にした画像の所定範囲を、指定領域とする。色相判定部２７０は、指定領域をエリアに分割し、各分割エリアの色相を特定し、各分割エリアの色相の数により、指定領域に関連する色相を判定する。判定された色相が、関連色である。色相判定部２７０は、判定した色相を色調整画面作成部１３０に通知する。
【００３９】
色調整画面作成部１３０は、判定された色相を示す色調整画面４００を作成する。表示制御部２５０は、画像データに色調整画面４００を重畳した画像を生成して、画像表示部４０に出力する。画像表示部４０には、色調整画面４００が重畳された画像を表示される。
【００４０】
制御部１１０は、フロントダイヤル１２の操作に応じて色相を特定し、リアダイヤル１６の操作に応じて、特定された色相における彩度値を設定する。制御部１１０から、色相と変更される彩度が画像生成部２４０に指示される。画像生成部２４０は、変更された色相と彩度に応じて色調整処理を行い、画像を生成する。
【００４１】
図６は、色調整装置による色調整処理の手順を説明するフローチャートである。制御部１１０は、電源ボタン１８の押下を検知して、撮像装置１の電源をオンにする（ステップＳ１０）。制御部１１０は、モードボタン２２の操作に応じて動作モードを切換え、撮像部２３０、画像メモリ２６０または外部機器３００のいずれから画像データを画像生成部２４０に入力する（ステップＳ１２）。
【００４２】
撮影モード時には、撮像部２３０からライブビュー画像の画像データが画像生成部２４０に入力される。再生モード時には、画像メモリ２６０から撮影済み画像の画像データが読み出されて画像生成部２４０に入力される。また、外部機器モード時には、外部機器３００の画像データが、外部機器ＩＦ２８０を経由して、画像生成部２４０に入力される。外部機器３００は、前述のように、例えば、顕微鏡や内視鏡の撮像機器である。
【００４３】
以下では、動作モードが撮影モードに設定され、撮像部２３０からのライブビュー画像ＬＶの画像データが画像生成部２４０されるとする。また、ＰＩＣＴボタン２０が押下されたとして、制御部１１０は、図４に示したように、色調整画面４００をライブビュー画像に重畳表示させる。
【００４４】
画像生成部２４０は、入力された画像データに、補間処理等の所定の画像処理を施す。その中で、画像生成部２４０は、各色相に設定された彩度値で、画像の色調整処理を行う。なお、電源オン後に色調整画面４００での調整操作がされていない場合には、画像生成部２４０は保存用メモリ２１０に記憶された前回の彩度値を適用する。また、画像生成部２４０は、保存用メモリ２１０に前回の彩度値がない場合には、標準値（デフォルト値）を適用する。
【００４５】
表示制御部２５０は、画像生成部２４０により画像処理されたライブビュー画像に、色調整画面４００を重畳させ、色調整画面４００が付された画像を画像表示部４０に表示する（ステップＳ１４、図４参照）。
【００４６】
制御部１１０は、表示されたライブビュー画像ＬＶに対して、領域指定がされたかを判断する（ステップＳ１６）。画像表示部４０が背面表示部４２の場合には、制御部１１０は、タッチパネル４４での撮影者によるタッチ操作とタッチ位置で、領域指定と位置を検知する。図８は、撮影者により領域指定がされる様子を示す図である。詳しくは、図８は、背面表示部４２に表示されたライブビュー画像ＬＶに、撮影者の指がタッチされる様子である。なお、画像表示部４０がＥＶＦ４６の場合には、制御部１１０は、撮影者によるＸＹ方向ボタン２６とＯＫボタンの操作により、領域指定と位置を検知する。
【００４７】
制御部１１０は、領域指定がされていないと判断すると（ステップＳ１６ＮＯ）、ステップＳ２２に進む。制御部１１０は、領域指定がされたと判断すると（ステップＳ１６ＹＥＳ）、色相判定処理を行う（ステップＳ１８）。
【００４８】
図７は、色相判定処理の手順を説明するサブルーチンである。画像領域指定部１２０は、領域指定された位置を中心にした画像の所定範囲（例えば、１００×１００画素）を指定領域として抽出する。図８では、説明上、指定領域４５０の範囲を黒枠で示すが、指定領域４５０の範囲は可視的に表示しなくてもよい。なお、図４で説明したボタンｔが押下された場合には、画像領域指定部１２０は、ライブビュー画像ＬＶ全体を指定領域とする。また、画像領域指定部１２０は、タッチされた指で連続的に囲われた範囲を、指定領域に指定するようにしてもよい。
【００４９】
色相判定部２７０は、画像領域指定部１２０から出力された指定領域の画像を入力する（ステップＳ４０）。色相判定部２７０は、指定領域の画像を、所定数のエリアに分割する（ステップＳ４２）。
【００５０】
図９は、図８で指定された指定領域４５０が、所定数のエリアに分割された様子を示す図である。指定領域４５０の上部がおおよそ葉ｈで、中央が花びらｆで、下部が花弁ｇである。色相判定部２７０は、指定領域４５０を、例えば、５×５の計２５のエリアに分割する。図９の番号１〜２５は、各分割エリアの番号を示す。
【００５１】
色相判定部２７０は、各分割エリアを測色して（ステップＳ４４）、各分割エリアの色相を判定する（ステップＳ４６）。各画素の画像データが、ＨＳＶ形式の場合には、色相判定部２７０は、分割エリアのＨＳＶデータから、例えば平均Ｈを算出して、平均Ｈを分割エリアのＨとする。
【００５２】
図１０Ａは、ＨＳＶ色空間のＨＳ平面の例であって、色相（Ｈ）範囲を示す図である。円周方向が色相（Ｈ）で、径方向が彩度（Ｓ）である。図１０Ａに示すように、Ｈは、下向きｙ軸を０°（始点）として、反時計回りの角度で規定される。Ｙ、Ｏｒ・・・ＧＹは、図５で説明した記号と同じ色相を意味する。そして、図１０Ｂは、図１０Ａで示す各色相のＨ範囲を示した表である。
【００５３】
また、各画素の画像データが、ＲＧＢ形式の場合には、色相判定部２７０は、以下の式から、各画素の画像データのＨを算出して、分割エリアのＨを求める。
Ｒ、Ｇ、Ｂの最大値をＭＡＸ、最小値をＭＩＮとし、
ＭＩＮ＝ＭＡＸの場合、Ｈ＝０
ＭＩＮ＝Ｂの場合には、Ｈ＝（６０×（Ｇ−Ｒ）／（ＭＡＸ−ＭＩＮ））＋６０
ＭＩＮ＝Ｒの場合には、Ｈ＝（６０×（Ｂ−Ｇ）／（ＭＡＸ−ＭＩＮ））＋１８０
ＭＩＮ＝Ｇの場合には、Ｈ＝（６０×（Ｒ−Ｂ）／（ＭＡＸ−ＭＩＮ））＋３００
【００５４】
色相判定部２７０は、各分割エリアのＨを算出し、算出した各分割エリアのＨから、図１０Ｂの表を参照して、各分割エリアの色相を判定する。図１０Ｂの表は、保存用メモリ２１０に格納される。図１１Ａは、図９で示した各分割エリアのＨ値と色相を表にしたものである。例えば、色相判定部２７０は、分割エリアＮｏ１を、Ｈ＝１８２から、色相がＧＹと判定する。図１１Ａの右欄が、判定された色相名である。
【００５５】
色相判定部２７０は、色相ごとの分割エリア数をカウントする（ステップＳ４８）。図１１Ｂは、色相ごとに判定された分割エリア数の表である。図１１Ｂは、図１１Ａの右欄の色相を合計した表である。例えば、ＧＹ（黄緑）の分割エリア数が８個である。
【００５６】
色相判定部２７０は、カウント数≧ｋの色相を判定する（ステップＳ５０）。カウント数は、色相ごとの分割エリア数である。また、ｋは、出現頻度の少ない色相は排除して、主体となる色相のみに絞るための閾値である。例えば、ｋ＝６である。
【００５７】
色相判定部２７０は、例えばｋ＝６として、分割エリア数が６以上あることを条件として、ＧＹ（黄緑）、Ｙ（黄色）、Ｏｒ（橙）を指定領域の色相（関連色）と判定する。色相判定部２７０は、指定領域の色相として、ＧＹ、Ｙ、Ｏｒを色調整画面作成部１３０に出力する（ステップＳ５２）。
【００５８】
色調整画面作成部１３０は、関連色と判定されたＧＹ、Ｙ、Ｏｒを、他の色相と区別して示す色調整画面４００を作成する。表示制御部２５０は、作成された色調整画面４００を画像表示部４０に表示する（ステップＳ２０）。図１２は、関連色が区別して表示された色調整画面４００ａ等の例である。色調整画面４００ａでは、関連色のＧＹ、Ｙ、Ｏｒの枠内のみ、着色して表示され、関連色の以外の色相の枠内は、着色されない。また、色調整画面４００ａでは、関連色のマーク４１４ａ、マーク４１４ｂ、マーク４１４ｃが着色して表示され、関連色の以外のマーク４１４ｄは無着色（モノクロ）で表示される。
【００５９】
図６に戻る。制御部１１０は、色調整操作が行われたかを判断する（ステップＳ２２）。色調整操作は、フロントダイヤル１２で色相選択がされ、リアダイヤル１６で彩度設定が行われる。制御部１１０は、色調整操作が行われていないと判断すると（ステップＳ２２ＮＯ）、ステップＳ２８に進む。なお、フロントダイヤル１２によって色調整画面上で色相を選択する操作の際に、制御部１１０は、関連色以外の他の色相を飛び越して、関連色だけが選択されるような操作制御をしてもよい。
【００６０】
制御部１１０は、色調整操作が行われたと判断すると（ステップＳ２２ＹＥＳ）、色調整画面作成部１３０は、色調整操作に応じて、色調整画面４００を変更し、表示制御部２５０は、変更された色調整画面４００を表示する（ステップＳ２４）。図１２の色調整画面４００ｂは、例えば、マーク４１４ｂ、マーク４１４ｃが外周方向に移動されて、ＹとＯｒの彩度が濃くなるように設定された様子を示す。
【００６１】
また、色調整画面作成部１３０は、判定された色相が複数ある場合、つまり関連色が複数ある場合には、対応するエリア数の大小に応じて該色相を区別できるよう、色調整画面４００を作成してもよい。例えば、図１２の色調整画面４００ｃは、エリア数が最も多いＯｒが四角の枠で囲まれて他と区別して表示された例である。また、色調整画面作成部１３０は、色相名に対応するエリア数を示した色調整画面を表示してもよい。
【００６２】
画像生成部２４０は、色調整操作に応じて、所定の色調整処理を行った画像を生成し、表示制御部２５０は、生成された画像を表示する（ステップＳ２６）。図１３は、色調整処理によるライブビュー画像の色調（彩度）変化を、模式的に示す図である。図１３に示す画像は、図４のライブビュー画像ＬＶの一部である。被写体の花びらｆの色相はＯｒ（橙）が主体で、花弁ｇの色相はＹ（黄色）が主体で、葉ｈの色相はＧＹ（黄緑）が主体である。
【００６３】
図１３上段は、Ｙ（黄色）の彩度を調整した場合の色調変化を示す図である。なお、各段中央のライブビュー画像ＬＶ（０）は、ＧＹ、Ｙ、Ｏｒが全て標準値である場合の画像である。ライブビュー画像ＬＶ（＋Ｙ）は、Ｙの彩度が高く設定された場合の画像である。Ｙを色相の主体とする花弁ｇが鮮やかに表現される。ライブビュー画像ＬＶ（―Ｙ）は、Ｙの彩度が低く設定された場合の画像である。花弁ｇがおとなしく表現される。Ｙ成分の少ない花びらｆや葉ｈは、Ｙの彩度調整による影響は少ない。
【００６４】
図１３中段は、Ｏｒ（橙）の彩度を調整した場合の色調変化を示す図である。ライブビュー画像ＬＶ（＋Ｏｒ）は、Ｏｒの彩度が高く設定された場合の画像で、Ｏｒを色相の主体とする花びらｆが鮮やかに表現される。ライブビュー画像ＬＶ（―Ｏｒ）は、Ｏｒの彩度が低く設定された場合の画像で、Ｏｒを色相の主体とする花びらｆがおとなしく表現される。花弁ｇや葉ｈは、Ｙの彩度変化による影響は少ない。
【００６５】
図１３下段は、ＧＹ（黄緑）、Ｙ（黄色）及びＯｒ（橙）の彩度を調整した場合の色調変化を示す図である。ライブビュー画像ＬＶ（＋ＧＹ／Ｙ／Ｏｒ）は、ＧＹ／Ｙ／Ｏｒの彩度が高く設定された場合の画像である。画面全体が鮮やかに表現される。ライブビュー画像ＬＶ（―ＧＹ／Ｙ／Ｏｒ）は、ＧＹ／Ｙ／Ｏｒの彩度が低く設定された場合の画像である。画面全体がおとなしく表現される。
【００６６】
図６に戻る。制御部１１０は、電源ボタン１８の押下により、電源がオフされたかを判断する（ステップＳ２８）。制御部１１０は、電源がオフされていないと判断すると（ステップＳ２８ＮＯ）、ステップＳ１２に戻る。制御部１１０は、電源がオフされたと判断すると（ステップＳ２８ＹＥＳ）、オフ処理を行い（ステップＳ３０）、撮像装置１の動作を終了させる。制御部１１０は、オフ処理として、色調整画面４００で変更された各色相の彩度値を保存用メモリ２１０に保存してもよい。
【００６７】
<効果> 
・画像の印象は色で大きく変わるが、この色を調整するための色調整装置では、調整画面上で調整する色相など、色を指定することが必要である。しかし、調整画面上では多数の色相名が提示されるが、どの色相が、変更希望の被写体の色に対応するのか、判断できない場合も多い。特に、輝度の低い被写体あるいは複数色が重なったような被写体では、対応する色相名を正確に選択するのは簡単ではない。特に初心者では、調整すべき色相名が探せなくて困ることも多い。上記実施形態によれば、調整したい被写体を指定するだけで被写体の色相が判定されるので、初心者でも、簡単に的確な色相を選択することができ、彩度を好みの状態に調整することができる。
・また、タッチ操作で、調整したい被写体を指定できるので、初心者でも操作が容易である。
・タッチ位置を含む一定の範囲内を色相判定の領域にしたので、タッチ位置の精度が要求されない。
・指定領域を分割し、各分割エリアの色相の数に基づき、関連色を判定するので、指定領域全体に分散しているようなノイズ的な色を効率的に除外することができる。
・また、エリア数が所定以下の色相を関連色に含めないようにしたので、被写体への影響度の高い色相だけを提示することができる。
・色調整画面として、色相環に類似するＧＵＩを表示するので、彩度の変更操作も直観的でわかりやすい。
・フロントダイヤル１２によって色調整画面上で色相を選択する操作の際に、関連色以外の他の色相を飛び越すように制御することによって、全色相数が多くても、少ない操作で関連色の選択が可能となる。
【００６８】
<変形例>
・色調整画面は、色相と彩度を組み合わせた２次元表示としたが、色相と明度を組み合わせた表示にしてもよい。  
・上記実施形態では、色調整画面４００を背面表示部４２に表示する例を主に説明したが、ＥＶＦ４６に表示する場合も同様である。
・色調整装置は、撮像装置１に組み込まれるものに限らず、画像再生装置に設けられても良い。
・また、制御部１１０は、制御プログラムを読込んだＣＰＵ１００によるソフトウェア処理により実現されると説明したが、これに限るものではなく、一部あるいは全部をハードウェアで構成するようにしてもよい。また、色相判定部２７０や画像生成部２４０が、ＣＰＵ１００によるソフトウェア処理により実現されてもよい。
【００６９】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００７０】
１      撮像装置
１０    操作部
１２    フロントダイヤル
１６    リアダイヤル
１８    電源ボタン
２０    ＰＩＣＴボタン
２２    モードボタン
２６    ＸＹ方向ボタン
２８    ＯＫボタン
４０    画像表示部
４２    背面表示部
４４    タッチパネル
４６    ＥＶＦ
１００  ＣＰＵ
１１０  制御部
１２０  画像領域指定部
１３０  色調整画面作成部
２１０  保存用メモリ
２２０  一時記憶メモリ
２３０  撮像部
２４０  画像生成部
２５０  表示制御部
２６０  画像メモリ
２７０  色相判定部
２８０  外部機器ＩＦ
３００  外部機器
４００  色調整画面
４１２  線分
４１４  マーク
４１６  中立ライン
４５０  指定領域
【図１】
0006554413.tif 000002
【図２】
0006554413.tif 000003
【図３】
0006554413.tif 000004
【図４】
0006554413.tif 000005
【図５】
0006554413.tif 000006
【図６】
0006554413.tif 000007
【図７】
0006554413.tif 000008
【図８】
0006554413.tif 000009
【図９】
0006554413.tif 000010
【図１０Ａ】
0006554413.tif 000011
【図１０Ｂ】
0006554413.tif 000012
【図１１Ａ】
0006554413.tif 000013
【図１１Ｂ】
0006554413.tif 000014
【図１２】
0006554413.tif 000015
【図１３】
0006554413.tif 000016